(57)【要約】【課題】コンロの前面に手が触れるのを防止できる接触防止装置を提供する。【解決手段】コンロ台４０は、コンロ１の底面側に着脱自在に取り付けることができる。コンロ台４０は、遮蔽板５０を収納可能な収納空間を内側に有する。遮蔽板５０は、収納空間から前方に引き出し可能に設けられている。前方に引き出した遮蔽板５０は、コンロ１の前面２１のうちグリル扉３０を含む領域の下側から前方に張り出している。これにより、グリル庫の使用中において、小さな子供がグリル扉３０の前面に下方から触れてしまうのを未然に防止できる。なお、コンロ１を使用しないときや、周囲に小さな子供が居ないときは、遮蔽板５０をコンロ台４０内部の収納空間に収納すればよいので、コンロ１の前面２１における操作性、及び美観を保持できる。【選択図】図１
2019124403.tif 000002
【特許請求の範囲】
【請求項１】
グリル庫を開閉するグリル扉を前面に備えるコンロに取り付けられ、前記コンロの前記前面への接近及び接触を防止する接触防止装置であって、
前記コンロの前記前面のうち少なくとも前記グリル扉を含む領域の下側から前方に張り出した張出部を備え、当該張出部によって、前記前面に対して少なくとも下方からの接近及び接触を防止すること
を特徴とする接触防止装置。
【請求項２】
前記コンロの底面側に着脱自在に取り付けられる台座部を備え、
前記台座部は、前記張出部を収納可能な収納部を備え、
前記張出部は、前記収納部から前記前方に引き出し可能に設けられたこと
を特徴とする請求項１に記載の接触防止装置。
【請求項３】
前記コンロに取り付けられた状態で、
前記張出部は、前記コンロの前記前面の下端部に対して平行で、且つ前後方向に延びる板部材であること
を特徴とする請求項１又は２に記載の接触防止装置。
【請求項４】
前記コンロに取り付けられた状態で、
前記張出部は、
前記コンロの前記前面の下側から前方に張り出した下側張出部と、
前記コンロの前記前面の右側から前方に張り出した右側張出部と、
前記コンロの前記前面の左側から前方に張り出した左側張出部と
を備えたこと
を特徴とする請求項１に記載の接触防止装置。
【請求項５】
前記コンロに取り付けられた状態で、
前記張出部を前記コンロに対して前後方向にスライド可能に支持する支持手段を備えたこと
を特徴とする請求項４に記載の接触防止装置。
【請求項６】
前記張出部は、折り畳み可能であること
を特徴とする請求項１から５の何れかに記載の接触防止装置。
【発明の詳細な説明】
【技術分野】
【０００１】
本発明は、接触防止装置に関する。
【背景技術】
【０００２】
従来、器具の前面に、グリル扉、右側操作部、及び左側操作部が夫々設けられたコンロが知られている（例えば、特許文献１参照）。右側操作部及び左側操作部には、点火スイッチや、火力調節レバー等が夫々設けられる。
【先行技術文献】
【特許文献】
【０００３】
【特許文献１】特開２０１４−５４４６５号公報
【発明の概要】
【発明が解決しようとする課題】
【０００４】
例えば、コンロ使用中に、生後８〜２５か月位の小さな子供がつかまり立ち、つたい歩き等により、コンロの前面に下方から手が触れて誤操作してしまう可能性がある。このことから、前面に手が触れてコンロが誤動作しないように対策を講じる必要があった。
【０００５】
本発明の目的は、コンロの前面に手が触れるのを防止できる接触防止装置を提供することである。
【課題を解決するための手段】
【０００６】
請求項１の接触防止装置は、グリル庫を開閉するグリル扉を前面に備えるコンロに取り付けられ、前記コンロの前記前面への接近及び接触を防止する接触防止装置であって、前記コンロの前記前面のうち少なくとも前記グリル扉を含む領域の下側から前方に張り出した張出部を備え、当該張出部によって、前記前面に対して少なくとも下方からの接近及び接触を防止することを特徴とする。
【０００７】
請求項２の接触防止装置は、請求項１に記載の発明の構成に加え、前記コンロの底面側に着脱自在に取り付けられる台座部を備え、前記台座部は、前記張出部を収納可能な収納部を備え、前記張出部は、前記収納部から前記前方に引き出し可能に設けられるとよい。
【０００８】
請求項３の接触防止装置は、請求項１又は２に記載の発明の構成に加え、前記コンロに取り付けられた状態で、前記張出部は、前記コンロの前記前面の下端部に対して平行で、且つ前後方向に延びる板部材であるとよい。
【０００９】
請求項４の接触防止装置は、請求項１に記載の発明の構成に加え、前記コンロに取り付けられた状態で、前記張出部は、前記コンロの前記前面の下側から前方に張り出した下側張出部と、前記コンロの前記前面の右側から前方に張り出した右側張出部と、前記コンロの前記前面の左側から前方に張り出した左側張出部とを備えるとよい。
【００１０】
請求項５の接触防止装置は、請求項４に記載の発明の構成に加え、前記コンロに取り付けられた状態で、前記張出部を前記コンロに対して前後方向にスライド可能に支持する支持手段を備えるとよい。
【００１１】
請求項６の接触防止装置は、請求項１から５の何れかに記載の発明の構成に加え、前記張出部は、折り畳み可能であるとよい。
【発明の効果】
【００１２】
請求項１の接触防止装置によれば、コンロに取り付けられた状態では、張出部がコンロの前面の下側から前方に張り出している。これにより、例えば生後８〜２５か月位の小さな子供がつかまり立ち、つたい歩き等により、コンロの前面に下方から手が触れそうな場合でも、張出部が介在することによって、コンロの前面に子供の手が不用意に触れてしまうのを防止できる。また、コンロの前面には、グリル扉が配置されており、グリル庫の使用中、グリル扉は高温になり易い。本発明においては、張出部がコンロの前面のうち少なくともグリル扉を含む領域の下側から前方に張り出しているので、グリル庫の使用中、子供がグリル扉の前面に下方から触れることによる火傷を未然に防止できる。また、張出部は、コンロの前面の下側から前方に張り出しているので、例えば大人がコンロの前面に対して正面から接近することは可能であるので、コンロの操作を妨げることも無い。なお、接触防止装置は、コンロに着脱自在に取り付けられるようにしてもよい。その場合、例えば、グリル庫の使用時以外は、接触防止装置をコンロから取り外すことによって、コンロの前面における操作性、及び美観を保持できる。
【００１３】
請求項２の接触防止装置によれば、請求項１に記載の発明の効果に加え、台座部をコンロの底面側に取り付け、例えば、グリル庫の使用時において、収納部から張出部を前方に引き出すことによって、子供がグリル扉の前面に下方から触れるのを防止できる。そして、コンロを使用しないときは、張出部を収納部に収納することによって、張出部が前方に張り出さないので、体の一部が張出部に接触するのを防止できると共に、コンロの前面の美観を保持できる。
【００１４】
請求項３の接触防止装置によれば、請求項１又は２に記載の発明の効果に加え、張出部は、コンロの前面の下端部に対して平行で、且つ前後方向に延びる板部材であるので、コンロの前面と子供との間を張出部で容易に仕切ることができる。
【００１５】
請求項４の接触防止装置によれば、請求項１に記載の発明の効果に加え、張出部は、下側張出部に加え、右側張出部と左側張出部を備えているので、子供がコンロの前面に対して下方から触れるのを防止することに加え、コンロの前面に対して右側又は左側から接近して触れることも防止できる。
【００１６】
請求項５の接触防止装置によれば、請求項４に記載の発明の効果に加え、張出部は、支持手段によって、コンロに対して前後方向にスライド可能に支持されているので、例えば、使用時にのみ前方に引き出し、使用しない時は後方にスライドさせることによって、張出部が前方に張り出さないようにできる。
【００１７】
請求項６の接触防止装置によれば、請求項１から５の何れかに記載の発明の効果に加え、例えばコンロを使用しないときは、張出部を折り畳むことで、コンロ前方に張出部が張り出さないようにできる。
【図面の簡単な説明】
【００１８】
【図１】コンロ台４０から遮蔽板５０を前方に引き出した状態を示すコンロ１の斜視図（第一実施形態）である。
【図２】遮蔽板５０をコンロ台４０に収納した状態を示すコンロ１の斜視図である。
【図３】図１に示すロック装置６１の先端側周囲の断面図である。
【図４】遮蔽板１５０を前方にスライド移動させた状態を示すコンロ１００の斜視図（第二実施形態）である。
【図５】図４の状態から遮蔽板１５０を後方にスライド移動させた状態を示すコンロ１００の斜視図である。
【図６】遮蔽板２５０を略コの字型に開いた状態を示すコンロ２００の斜視図（第三実施形態）である。
【図７】図６の状態から左板部２５２と右板部２５３を折り畳んだ状態を示すコンロ２００の斜視図である。
【図８】図７の状態から下板部２５１を前面２１側に折り畳んだ状態を示すコンロ２００の斜視図である。
【発明を実施するための形態】
【００１９】
以下、本発明の第一〜第三実施形態を順に説明する。
［第一実施形態］
図１〜図３を参照し、本発明の第一実施形態を説明する。以下に記載されている装置の構造などは、特定的な記載がない限り、それのみに限定する趣旨ではなく、単なる説明例である。図面は、本発明が採用しうる技術的特徴を説明するために用いられるものである。
【００２０】
図１を参照し、コンロ１の構造を説明する。コンロ１は、グリル付きテーブルコンロである。コンロ１は、筐体２と天板３を備える。筐体２は、上部が開口する略直方体状に形成されている。筐体２の底部の四隅には、４本の脚部２５が設けられている。コンロ１は、筐体２の底部にコンロ台４０を取り付け可能である。コンロ台４０の構造については後述する。天板３は、筐体２の開口する上部にネジ（図示略）で固定されている。天板３の上面右側には、右コンロバーナ４、上面左側には左コンロバーナ５が設けられている。天板３の上面後端側の左右方向の略中央部には、グリル排気口７が設けられている。グリル排気口７は、筐体２内に設置されたグリル庫（図示略）内の燃焼によって生じた燃焼ガスを外部に排出する。
【００２１】
筐体２の前面２１の左右方向の略中央部には、グリル用の開口部が設けられている。開口部の内側には、グリル庫の前側に設けられたグリル開口（図示略）が配置される。開口部には、グリル扉３０が前後方向に移動可能に設けられている。グリル扉３０は、下側受け部３１とガラス板部３２を備える。下側受け部３１は、グリル扉３０の下側に設けられ、その前面には、前方に張り出した取手部３５が設けられている。下側受け部３１は樹脂製である。ガラス板部３２は、グリル扉３０の上側に設けられ、正面視略矩形状に形成されている。このようなグリル扉３０の取手部３５を手前側に引き出すと、グリル扉３０の背面下部に連結した受皿と焼き網（図示略）を、グリル庫内から同時に取り出すことができる。
【００２２】
筐体２の前面２１において、グリル扉３０の右側には、ツマミ１１，１２が設けられている。グリル扉３０の左側には、ツマミ１３が設けられている。ツマミ１１〜１３は押し回し式である。ツマミ１１は、右コンロバーナ４を点火する場合に、正面視反時計回りに約９０°押し回しされる。点火後は、時計回りに回動させることによって、火力が大火力から小火力に調節される。ツマミ１１を点火前の位置に戻すと、右コンロバーナ４が消火される。なお、ツマミ１２と１３の操作方法は、ツマミ１１と同じである。ツマミ１２は、グリル庫内に設けられるグリルバーナ（図示略）を点火する場合に押し回しされる。ツマミ１３は、左コンロバーナ５を点火する為に押し回しされる。ツマミ１３の左側には、電池ボックス１４が設けられている。電池ボックス１４は、コンロ１に電源を供給する乾電池（図示略）を格納する。
【００２３】
図１，図２を参照し、コンロ台４０の構造を説明する。コンロ台４０は、平面視略矩形状で且つ所定高さを有する板状に形成されている。コンロ台４０の上面部の四隅には、筐体２の４本の脚部２５を上方から挿入可能な穴部（図示略）が設けられている。コンロ台４０の上面部は、筐体２の底部を下方から支持する。筐体２の４本の脚部２５は、コンロ台４０の４つの穴部に収納される。これにより、コンロ１をキッチンカウンタに設置したときに、コンロ１の底部の下側にできる隙間を埋めることができる。
【００２４】
コンロ台４０の前面４１の左右方向の略中央部には、正面視横長矩形状の開口部４２が設けられ、該開口部４２から遮蔽板５０が前方に引き出されている（図１参照）。コンロ台４０の内側には、遮蔽板５０を収納する収納空間（図示略）が設けられ、開口部４２と連通する。遮蔽板５０は平面視略矩形状の板部材であって、例えば耐熱性樹脂で形成するとよい。遮蔽板５０の前端部には、蓋部５１が設けられている。蓋部５１は、正面視横長矩形状に形成され、遮蔽板５０の左右両端部から左右側方に突出する。蓋部５１は、開口部４２の形状に対応する。蓋部５１の前面には、取手５２が設けられている。遮蔽板５０の左端面には、４つの穴部５５が前後方向に所定間隔を空けて設けられている。遮蔽板５０の右端面にも、左端面と同様に４つの穴部５６が前後方向に所定間隔を空けて４つの穴部５５と対応する位置に設けられている。穴部５５と５６は、略半球状に窪んで形成され（図３参照：穴部５５のみ図示）、後述するロック装置６１，６２の夫々の鋼球６７が落着するようになっている。
【００２５】
図２に示すように、遮蔽板５０を後方に押し込むと、遮蔽板５０は開口部４２を介してコンロ台４０の収納空間に収納される。開口部４２の内縁部の左右両側には、左右一対の係止壁４２１，４２２が設けられている。係止壁４２１，４２２は、前方に対向するように配置されている。遮蔽板５０を後方に押し込んだとき、蓋部５１の左右両端部の夫々の裏面は、一対の係止壁４２１，４２２に係止する。蓋部５１の前面は、コンロ台４０の前面４１と面一になる。この状態で、蓋部５１は開口部４２を前方から閉じることができる。開口部４２の左右両側の後方には、左右一対のロック装置６１，６２が設けられている。ロック装置６１，６２は、遮蔽板５０の４段階の引き出し位置に応じて遮蔽板５０の位置をロックする。
【００２６】
図３に示すように、左側のロック装置６１は、筐体部６４、圧縮コイルバネ６５、保持部材６６、鋼球６７等を備える。筐体部６４は、筐体部６４は有底略円筒状に形成されている。圧縮コイルバネ６５と保持部材６６は、筐体部６４の内側に収納されている。圧縮コイルバネ６５は、保持部材６６を筐体部６４の右側に向けて開口する先端側に付勢する。保持部材６６は、鋼球６７を先端側に保持する。鋼球６７の一部は、筐体部６４の開口する先端側から外部付勢に応じて出退する。このような構造により、ロック装置６１は、筐体部６４の先端側から鋼球６７を出退可能に保持する。なお、ロック装置６２も、ロック装置６１と同一構造を備える。
【００２７】
左側のロック装置６１の鋼球６７は、遮蔽板５０の引き出し位置に応じて、対応する穴部５５に落着する。これに対し、右側のロック装置６２の鋼球も、対応する穴部５６に落着する。これにより、遮蔽板５０はその引き出し位置にロックされた状態となるので、遮蔽板５０に身体の一部が軽く当たった程度では、遮蔽板５０の引き出し位置は変わらない。なお、遮蔽板５０の引き出し位置を変える場合は、取手５２を掴み、遮蔽板５０をさらに引き出したり、若しくは押し込むことによって、鋼球６７は、落着している穴部５５から離脱し、隣の穴部５５に再度落着する。このようにして、遮蔽板５０は、４つの穴部５５，５６の夫々の位置に応じて、ロック装置６１，６２によりロックされる。
【００２８】
図１に示すように、コンロ台４０の開口部４２から遮蔽板５０が前方に引き出された状態では、遮蔽板５０は、グリル扉３０の下側から前方に張り出すようにして配置される。コンロ１の前面２１との間に遮蔽板５０が介在することによって、グリル扉３０に子供の手が触れてしまうのを防止できる。また、遮蔽板５０は、コンロ１の前面２１の下端部に対して平行で、且つ前後方向に延びる板部材であるので、コンロ１の前面２１と子供との間を遮蔽板５０で容易に仕切ることができる。
【００２９】
例えば、グリル庫の使用中、グリル扉３０は高温になり易い。特に、ガラス板部３２は、熱伝導率が樹脂に比べて高いので高温になり易い。よって、グリル庫の使用時においては、ユーザは、遮蔽板５０を前方に引き出すことによって、子供がグリル扉３０の前面に下方から触れるのを防止できるので、火傷を未然に防止できる。なお、遮蔽板５０は、コンロ１の前面２１の下側から前方に張り出しているが、前面２１を覆い隠すことはないので、大人はグリル扉３０に対して正面上方から接近することができる。よって、遮蔽板５０は、ユーザによるグリル扉３０の操作を妨げない。また、グリル庫を使用しないときや、コンロ１周囲に子供が居ないときは、遮蔽板５０をコンロ台４０内に収納できるので、コンロ１の前面２１における操作性、及び美観を保持できる。
【００３０】
また、遮蔽板５０は、コンロ１のオプション品であるコンロ台４０に設けられるものであるので、遮蔽板を備えた専用のコンロとして設計する必要が無い。よって、既に使用されている家庭のコンロの底部にコンロ台４０を取り付けるだけで、コンロの前面下側から遮蔽板５０を前方に引き出すことができるので、汎用性が高く、どのようなコンロにも取り付けることができる。
【００３１】
なお、第一実施形態の遮蔽板５０は、グリル扉３０の下側を覆うことができる程度の左右方向の幅を有するが、例えば、コンロ１の前面２１の下側を覆うことができるように左右方向の幅を更に長くしてもよい。その場合、遮蔽板は、グリル扉３０のみならず、コンロ１の前面２１に触れるのを防止できるので、ツマミ１１〜１３や、電池ボックス１４等に子供の手が触れて、誤操作されてしまうのを防止できる。また、小さな子供の目線からでは、コンロ１の前面２１は遮蔽板５０によって隠れるので、前面２１に設けられたツマミ１１〜１３、グリル扉３０、電池ボックス１４等に興味を持ち、つい触ってしまうようなことも未然に防止できる。
【００３２】
以上説明したように、第一実施形態のコンロ１は、グリル庫を開閉するグリル扉３０を前面２１に備える。コンロ１はコンロ台４０を備える。コンロ台４０は、コンロ１の底部に取り付けられる。コンロ台４０は、遮蔽板５０を収納可能な収納空間を内側に有する。遮蔽板５０は、収納空間から前方に引き出し可能に設けられている。前方に引き出した遮蔽板５０は、コンロ１の前面２１のうちグリル扉３０を含む領域の下側から前方に張り出している。これにより、グリル庫の使用中、子供がグリル扉３０の前面に下方から触れることによる火傷を未然に防止できる。また、遮蔽板５０は、コンロ１の前面２１の下側から前方に張り出しているが、前面２１を覆い隠すことは無い。よって、例えば大人がコンロ１の前面２１に対して正面から接近することは可能であるので、コンロ１の操作を妨げることが無い。また、コンロ１を使用しないときや、周囲に小さな子供がいないときは、遮蔽板５０をコンロ台４０内部の収納空間に収納すればよいので、コンロ１の前面２１における操作性、及び美観を保持できる。
【００３３】
なお、第一実施形態において、コンロ台４０は本発明の「台座部」の一例である。遮蔽板５０は本発明の「張出部」の一例である。コンロ台４０内部の収納空間は本発明の「収納部」の一例である。
【００３４】
［第二実施形態］
図４，図５を参照し、本発明の第二実施形態を説明する。第二実施形態のコンロ１００は、筐体２に対して遮蔽板１５０を取り付けている。遮蔽板１５０は、前後方向にスライド移動可能であり、コンロ１の前方に引き出すことができる。なお、第二実施形態のコンロ１００の構造は、第一実施形態のコンロ１の構造と同じであるので説明を省略し、遮蔽板１５０の構造と、その取り付け構造を中心に説明する。
【００３５】
図４に示すように、筐体２の左側面の上下方向略中段位置には、固定レール１２１が固定され、右側面の上下方向略中段位置には、固定レール１２２が固定されている。固定レール１２１，１２２は前後方向に延びる。固定レール１２１，１２２は、遮蔽板１５０を前後方向にガイドする為のガイドレールである。
【００３６】
遮蔽板１５０は、正面視上側に開口する略コの字型に形成されている。遮蔽板１５０の材質は限定しないが、例えば、耐熱性樹脂で形成するとよい。遮蔽板１５０の作製方法は限定しないが、例えば一枚の樹脂板を折り曲げて加工してもよく、複数の樹脂板を繋ぎ合わせて作製してもよい。遮蔽板１５０は、下板部１５１、左板部１５２、右板部１５３を備える。
【００３７】
下板部１５１は、平面視横長略矩形状に形成され、左右方向に延設されている。下板部１５１は、コンロ１の左右方向の幅よりもやや広い幅を有する。下板部１５１の前後方向の長さは、例えばコンロ１の前後方向長さの約１／２である。下板部１５１の左右方向中央部には、凹部１５１Ａが設けられている。凹部１５１Ａは下方に凹んで形成され、前後方向に延びる。遮蔽板１５０のスライド移動時、凹部１５１Ａは、グリル扉３０の下部に形成された突出部３６との干渉を避けることができる。下板部１５１の左右両端部近傍には、一対の長孔１６１，１６２が設けられている。長孔１６１は、下板部１５１の左端部近傍に設けられ、前後方向に延びる。長孔１６１には、筐体２の底部の左前角部に設けられた脚部２５が挿通されている。長孔１６２は、下板部１５１の右端部近傍に設けられ、前後方向に延びる。長孔１６２には、筐体２の底部の右前角部に設けられた脚部２５が挿通されている。これにより、遮蔽板１５０が前後方向にスライド移動する際、下板部１５１は、筐体２の前側の一対の脚部２５との干渉を避けながら前後方向にスライド移動できる。
【００３８】
左板部１５２は、下板部１５１の左端部から略垂直上方に延設され、左側面視略矩形状に形成されている。左板部１５２の右面（筐体２の左側面に対向する内面）の上下方向略中段位置には、前後方向に延びる従動レール１７１が固定されている。従動レール１７１は、筐体２の左側面に固定された固定レール１２１に組み付けられ、該固定レール１２１に沿って前後方向に案内される。右板部１５３は、下板部１５１の右端部から略垂直上方に延設され、右側面視略矩形状に形成されている。右板部１５３の左面（筐体２の右側面に対向する内面）の上下方向略中段位置には、前後方向に延びる従動レール１７２が固定されている。従動レール１７２は、筐体２の右側面に固定された固定レール１２２に組み付けられ、該固定レール１２２に沿って前後方向に案内される。
【００３９】
図４，図５に示すように、遮蔽板１５０は、筐体２の一対の固定レール１２１，１２２に沿って前後方向にスライド移動可能である。図４に示すように、コンロ１に対して、遮蔽板５０が前方に引き出された状態では、下板部１５１は、コンロ１の前面２１の下側から前方に張り出している。左板部１５２は、コンロ１の前面２１の左側から前方に張り出している。右板部１５３は、コンロ１の前面２１の右側から前方に張り出している。これにより、小さな子供がコンロ１の前面２１側に立った状態では、子供と前面２１との間に遮蔽板１５０が介在する。よって、グリル扉３０、ツマミ１１〜１３、電池ボックス１４等に子供の手が触れてしまうのを防止できる。なお、詳述しないが、遮蔽板１５０を固定レール１２１，１２２の前端部まで引き出した状態では、周知のロック機構で従動レール１７１，１７２を自動的にロックするようにするとよい。これにより、コンロ１の使用中に、遮蔽板１５０が勝手に動いたり、身体の一部が少し触れただけで遮蔽板１５０が動いてしまうのを防止できる。
【００４０】
また、遮蔽板１５０の下板部１５１は、コンロ１の前面２１の下端部に対して平行で、且つ前後方向に延びる板部材であるので、第一実施形態と同様に、コンロ１の前面２１と子供との間を下板部１５１で容易に仕切ることができる。そして、遮蔽板１５０は、その下板部１５１に加え、左板部１５２と右板部１５３を備えているので、子供がコンロ１の前面２１に対して下方から触れるのを防止することに加え、コンロ１の前面２１に対して右側又は左側から接近して触れるのも防止できる。また、遮蔽板１５０は、小さな子供の目線からコンロ１の前面２１の下側、左側、右側を覆い隠すことから、子供が前面２１に設けられたグリル扉３０、ツマミ１１〜１３、電池ボックス１４等を見て興味を持って触れてしまうことも防止できる。
【００４１】
そして、例えば、コンロ１の使用しないときや、コンロ１の周囲に子供がいないような場合、図５に示すように、遮蔽板１５０を後方にスライド移動させればよい。これにより、遮蔽板１５０はコンロ１の前方に張り出さないので、コンロ１の前面２１における操作性、及び美観を保持できる。
【００４２】
なお、固定レール１２１，１２２の筐体２への固定方法については限定しないが、例えば両面テープで固定するとよい。その場合、既に家庭で使用されているコンロの筐体に対して固定レール１２１，１２２を両面テープで固定するだけで、遮蔽板１５０をコンロ１に簡単に取り付けることができる。
【００４３】
以上説明したように、第二実施形態のコンロ１００は、筐体２に対して遮蔽板１５０を前後方向にスライド移動可能に取り付けている。遮蔽板１５０は、正面視上側に開口する略コの字型に形成され、下板部１５１、左板部１５２、右板部１５３を備える。コンロ１に対して、遮蔽板１５０が前方に引き出された状態では、下板部１５１は、コンロ１の前面２１の下側から前方に張り出し、左板部１５２は、コンロ１の前面２１の左側から前方に張り出し、右板部１５３は、コンロ１の前面２１の右側から前方に張り出している。これにより、遮蔽板１５０は、子供がコンロ１の前面２１に対して下方から触れるのを防止することに加え、コンロ１の前面２１に対して右側又は左側から接近して触れるのも防止できる。
【００４４】
また、遮蔽板１５０は、筐体２の左右両側面に固定された一対の固定レール１２１，１２２と、遮蔽板１５０に固定された一対の従動レール１７１，１７２により、コンロ１に対して前後方向にスライド可能に支持されている。これにより、使用時にのみ前方に引き出し、使用しない時は後方にスライドさせることによって、遮蔽板１５０が前方に張り出さないようにできる。
【００４５】
なお、第二実施形態では、筐体２の一対の固定レール１２１，１２２に対して、従動レール１７１，１７２を組み付けることによって、遮蔽板１５０を筐体２に対して前後方向に移動可能に取り付けているが、筐体２への取り付け方法は、これ以外の方法で取り付けるようにしてもよく、例えば、遮蔽板１５０を磁石で筐体２に着脱自在に固定するようにしてもよい。
【００４６】
また、第二実施形態では、一対の固定レール１２１，１２２と、一対の従動レール１７１，１７２で構成するレール機構により、遮蔽板１５０を筐体２に対して前後方向にスライド移動可能に支持しているが、例えばレール機構を省略して、遮蔽板１５０を筐体２の下側に設置するだけでもよい。そのような形態であっても、遮蔽板１５０は、筐体２の前側の左右一対の脚部２５と、下板部１５１の一対の長孔１６１，１６２によって前後方向に移動可能に案内されるので、上記第一実施形態と同様の効果を得ることができる。
【００４７】
なお、第二実施形態において、遮蔽板１５０の下板部１５１は本発明の「下側張出部」の一例であり、左板部１５２は本発明の「左側張出部」の一例であり、右板部１５３は本発明の「右側張出部」の一例である。一対の固定レール１２１，１２２と一対の従動レール１７１，１７２は、本発明の「支持手段」の一例である。
【００４８】
［第三実施形態］
図６〜図８を参照して、本発明の第三実施形態を説明する。図６に示すように、第三実施形態のコンロ２００は、第一実施形態と同様に、コンロ台２４０を筐体２の底部に取り付ける。コンロ台２４０は、前面２４１に突出部２４２を備える。突出部２４２は、前方に突出し且つ平面視左右方向に長い略帯状に形成されている。突出部２４２の前端部には、遮蔽板２５０が折り曲げ可能に支持されている。遮蔽板２５０は、正面視上側に開口する略コの字型に形成され、コンパクトに折り畳み可能である（図７，図８参照）。遮蔽板２５０の材質は、第一，第二実施形態と同様に、耐熱性樹脂が好ましい。遮蔽板２５０は、下板部２５１、左板部２５２、右板部２５３を備える。下板部２５１は、コンロ１の前面２１の下側から前方に張り出している。左板部２５２は、コンロ１の前面２１の左側から前方に張り出している。右板部２５３は、コンロ１の前面２１の右側から前方に張り出している。
【００４９】
下板部２５１は、平面視横長の略矩形状に形成され、左右方向に延設されている。下板部２５１は、後端部で且つ前面２４１近傍に設けられた３つのヒンジ２１０によって略水平な状態から上方に折り曲げ可能である。左板部２５２は、左側面視略矩形状に形成され、２つのヒンジ２１１を介して下板部２５１の左端部に連結されている。左板部２５２は、下板部２５１に対して略垂直上方に延設され、ヒンジ２１１によって略垂直な状態から下板部２５１の上面に対して折り畳み可能である。右板部２５３は、右側面視略矩形状に形成され、２つのヒンジ２１２を介して下板部２５１の右端部に連結されている。右板部２５３は、下板部２５１に対して略垂直上方に延設され、ヒンジ２１２によって略垂直な状態から下板部２５１の上面に対して折り畳み可能である。
【００５０】
図６に示すように、遮蔽板２５０が略コの字型に開いた状態では、第二実施形態と同様に、小さな子供と前面２１との間に遮蔽板２５０が介在する。よって、グリル扉３０、ツマミ１１〜１３、電池ボックス１４等に子供の手が触れてしまうのを防止できる。そして、例えばコンロ１を使用しないときは、左板部２５２と右板部２５３を下板部２５１の上面に対して折り畳み（図７参照）、その状態で下板部２５１を上方に折り曲げることで（図８参照）、コンロ１の前方に遮蔽板２５０が張り出さないようにできる。これにより、例えばコンロ１を使用しないときは、遮蔽板２５０がユーザの邪魔にならない。
【００５１】
また、遮蔽板２５０は、第一実施形態と同様に、コンロ１のオプション品であるコンロ台２４０に設けられるものであるので、遮蔽板を備えた専用のコンロとして設計する必要が無い。よって、既に使用されている家庭のコンロの底部にコンロ台２４０を取り付けるだけで、コンロの前面下側から遮蔽板２５０を張り出すことができるので、汎用性が高く、どのようなコンロにも取り付けることができる。
【００５２】
以上説明したように、第三実施形態のコンロ２００は、コンロ台２４０を備える。コンロ台２４０は、コンロ１の底面側に着脱自在に取り付けられる。コンロ台２４０は、遮蔽板２５０を前面２４１に備える。遮蔽板２５０は、正面視上側が開口する略コの字型に形成され、コンロ１の前面２１の下側から前方に張り出すと共に、前面２１の左右両側からも前方に張り出すことによって、前面２１の下側、左側、右側を取り囲む。これにより、第二実施形態と同様に、コンロ１の使用中、子供がツマミ１１〜１３、電池ボックス１４等に下方から触れてしまうのを防止できる。そして、コンロ１を使用しないときは、遮蔽板１５０をコンパクトに折り畳むことができるので、ユーザの邪魔にもならない。
【００５３】
なお、遮蔽板２５０は、コンロ台２４０に設けられるものであるが、コンロ１に直接取り付けるようにしてもよい。また、遮蔽板２５０の下板部２５１は、コンロ１の前面２１の左右方向に亘って広く形成されているが、少なくともグリル扉３０を含む領域の下側から前方に張り出すようにして形成すればよい。また、左板部２５２及び右板部２５３は省略してもよい。また、遮蔽板２５０は、左板部２５２と右板部２５３を下板部２５１の上面に対して折り畳んだ状態で、下板部２５１を上方に折り曲げるようにしているが、下方に折り曲げるようにしてもよい。その場合、遮蔽板はコンロ１の前面２１を覆い隠さないので、周囲に小さな子供が居ないことを確認した上で、ユーザはコンロ１を操作できる。また、遮蔽板２５０は折り畳み可能であるが、折り畳み不能であってもよい。
【００５４】
なお、本発明は上記第一〜第三実施形態に限定されるものではなく、種々の変更が可能である。上記第一〜三実施形態はガスコンロであるコンロ１，１００，２００を例示したが、ガス器具に限らず、電磁調理器等の種々の加熱調理器にも適用可能である。また、コンロ１，１００，２００はテーブルコンロであるが、ビルトインコンロであってもよい。コンロバーナの数についても限定されない。
【００５５】
上記第一〜第三実施形態の遮蔽板５０，１５０，２５０は、何れも樹脂で形成したが、材質は樹脂以外でもよく、例えば、板金で形成してもよい。また、金網で作製してもよいが、板部材で作製するのが好ましい。板部材で作製することで、子供の目線からはコンロ１の前面２１を隠すことができるので、小さな子供が前面２１に設けられたツマミ１１〜１３、電池ボックス１４、グリル扉３０等に興味を持って触れてしまうのを防止できる。
【符号の説明】
【００５６】
１    コンロ
２１    前面
３０    グリル扉
４０    コンロ台
５０    遮蔽板
１００    コンロ
１２１，１２２    固定レール
１５０    遮蔽板
１５１    下板部
１５２    左板部
１５３    右板部
１７１，１７２    従動レール
２００    コンロ
２５０    遮蔽板
２５１    下板部
２５２    左板部
２５３    右板部
【図１】
2019124403.tif 000003
【図２】
2019124403.tif 000004
【図３】
2019124403.tif 000005
【図４】
2019124403.tif 000006
【図５】
2019124403.tif 000007
【図６】
2019124403.tif 000008
【図７】
2019124403.tif 000009
【図８】
2019124403.tif 000010